(57)【要約】【課題】和紙糸の特性（通気性、保温性、吸湿性、放湿性）が得られるとともに、弾性糸（伸縮性）の特性が得られる複合糸を提供する。【解決手段】伸縮性を有する繊維からなる弾性糸２を芯とし、この芯の周囲に和紙からなる和紙糸３を巻き付けて複合糸１を構成する。弾性糸２が伸縮したときに、それに追従して和紙糸３が巻き付けの間隔を広げたり、狭めたりすることになるので、和紙糸３が破断するようなことはない。織物の経糸及び緯糸として使用して衣服の生地を構成することが可能となるので、和紙糸の特性（通気性、保温性、吸湿性、放湿性）が得られる快適な着心地を提供することが可能となる。【選択図】　　　　図１
2004036041.tif 000002
【特許請求の範囲】
【請求項１】
伸縮性を有する繊維からなる少なくとも１本の弾性糸を芯とし、この芯の周囲に和紙からなる少なくとも１本の和紙糸を巻き付けて構成したことを特徴とする複合糸。
【請求項２】
伸縮性を有する繊維からなる少なくとも１本の弾性糸と、和紙からなる少なくとも１本の和紙糸とを互いに撚り合わせて構成したことを特徴とする複合糸。
【請求項３】
伸縮性を有する繊維からなる少なくとも１本の弾性糸を芯とし、この芯の周囲に和紙からなる少なくとも１本の和紙糸を巻き付けて構成した複合糸を経糸及び緯糸とし、それらを機で織ることにより構成したことを特徴とする織物。
【請求項４】
伸縮性を有する繊維からなる少なくとも１本の弾性糸と、和紙からなる少なくとも１本の和紙糸とを互いに撚り合わせて構成した複合糸を経糸及び緯糸とし、それらを機で織ることにより構成したことを特徴とする織物。
【請求項５】
伸縮性を有する繊維からなる少なくとも１本の弾性糸を芯とし、この芯の周囲に和紙からなる少なくとも１本の和紙糸を巻き付けて構成した複合糸を経糸又は緯糸とし、伸縮性を有する繊維からなる少なくとも１本の弾性糸と、和紙からなる少なくとも１本の和紙糸とを互いに撚り合わせて構成した複合糸を緯糸又は経糸とし、それらを機で織ることにより構成したことを特徴とする織物。
【発明の詳細な説明】
【０００１】
【発明の属する技術分野】
本発明は、複合糸及びその複合糸からなる織物に関し、特に、和紙に特有の特性（通気性、保温性、吸湿性、放湿性）が得られるとともに、和紙にない特性（伸縮性）が得られる複合糸及びその複合糸からなる織物に関するものである。
【０００２】
【従来の技術】
一般に、和紙は、コウゾ、ミツマタ、ガンピ等の植物の靭皮繊維を原料として手漉き等により作られるものであって、通気性、保温性、吸湿性、放湿性に優れた特性を有するため、我国では従来から様々な用途（障子紙等）に利用されている。
【０００３】
【発明が解決しようとする課題】
しかしながら、和紙は、通気性、保温性、吸湿性、放湿性に優れた特性を有する反面、伸縮性が殆どなく、強度も低いため、紙として利用することはできても、衣服の生地等としては利用することができない。
【０００４】
本発明は、上記のような従来の問題を解決したものであって、和紙に特有の特性（通気性、保温性、吸湿性、放湿性）が得られるとともに、伸縮性及び高強度が得られ、これにより衣服の生地等として使用することができる複合糸及びその複合糸からなる織物を提供することを目的とするものである。
【０００５】
【課題を解決するための手段】
上記の課題を解決するために、本発明の請求項１に係る複合糸は、伸縮性を有する繊維からなる少なくとも１本の弾性糸を芯とし、この芯の周囲に和紙からなる少なくとも１本の和紙糸を巻き付けて構成した手段を採用したものである。また、本発明の請求項２に係る複合糸は、伸縮性を有する繊維からなる少なくとも１本の弾性糸と、和紙からなる少なくとも１本の和紙糸とを互いに撚り合わせて構成した手段を採用したものである。さらに、本発明の請求項３に係る織物は、伸縮性を有する繊維からなる少なくとも１本の弾性糸を芯とし、この芯の周囲に和紙からなる少なくとも１本の和紙糸を巻き付けて構成した複合糸を経糸及び緯糸とし、それらを機で織ることにより構成した手段を採用したものである。さらに、本発明の請求項４に係る織物は、伸縮性を有する繊維からなる少なくとも１本の弾性糸と、和紙からなる少なくとも１本の和紙糸とを互いに撚り合わせて構成した複合糸を経糸及び緯糸とし、それらを機で織ることにより構成した手段を採用したものである。さらに、本発明の請求項５に係る織物は、伸縮性を有する繊維からなる少なくとも１本の弾性糸を芯とし、この芯の周囲に和紙からなる少なくとも１本の和紙糸を巻き付けて構成した複合糸を経糸又は緯糸とし、伸縮性を有する繊維からなる少なくとも１本の弾性糸と、和紙からなる少なくとも１本の和紙糸とを互いに撚り合わせて構成した複合糸を緯糸又は経糸とし、それらを機で織ることにより構成した手段を採用したものである。
【０００６】
【作用】
本発明は、上記のような手段を採用したことにより、弾性糸の周囲に和紙糸を巻き付けた複合糸の場合には、弾性糸の表面は和紙糸で被覆されることになるので、和紙糸の特性（通気性、保温性、吸湿性、放湿性）が得られることになる。また、弾性糸が伸縮したときには、それに追従して和紙糸が巻き付けの間隔を広げ、又は狭めることになるので、和紙糸が破断するようなことはない。さらに、弾性糸と和紙糸とを撚り合わせた複合糸の場合には、弾性糸の表面は和紙糸で被覆されることになるので、和紙糸の特性（通気性、保温性、吸湿性、放湿性）が得られることになる。また、弾性糸が伸縮したときには、それに追従して和紙糸が撚りの間隔を広げ、又は狭めることになるので、和紙糸が破断するようなことはない。さらに、弾性糸の周囲に和紙糸を巻きつけた複合糸を経糸及び緯糸とした織物の場合、弾性糸と和紙とを撚り合わせた複合糸を経糸及び緯糸とした織物の場合、それらの複合糸を組み合わせた織物の場合には、和紙糸の特性（通気性、保温性、吸湿性、放湿性）と弾性糸の特性（伸縮性）が得られることになる。
【０００７】
【発明の実施の形態】
以下、本発明の実施の形態について説明する。
図１には、本発明による複合糸の一実施の形態が示されていて、この複合糸１は、伸縮性を有する弾性糸２を芯とし、この弾性糸２の周囲に和紙糸３を巻き付けて構成したものである。
【０００８】
ここで、弾性糸２としては、ポリウレタン繊維等の伸縮性を有する繊維を撚り合わせて構成したものを使用することができる。伸縮性を有する繊維としては、ポリウレタン繊維に限らず、同様の特性を有するものであれば良い。
【０００９】
複合糸１の芯は、この実施の形態においては、１本の弾性糸２により構成しているが、図示はしないが、２本以上の弾性糸を束ねて構成しても良いし、２本以上の弾性糸を互いに撚り合わせて構成しても良い。
【００１０】
和紙糸３は、コウゾ、ミツマタ、ガンピ等の植物の靭皮繊維を原料として手漉きなどにより作られる和紙からなるものであって、通気性、保温性、吸湿性、放湿性に優れる特性を有するものである。
【００１１】
この実施の形態においては、弾性糸２の周囲に１本の和紙糸３を螺旋状に巻き付けている。和紙糸３の巻き付けの間隔は、弾性糸２が透けて見えない程度の間隔とするのが好ましい。なお、図示はしないが、弾性糸２の周囲に２本以上の和紙糸を巻き付けても良い。
【００１２】
弾性糸２の周囲に和紙糸３を巻き付けるには、合撚機、カバーリング機、合糸機、仮撚機、意匠撚糸機、複合撚糸機等を使用することができるが、これ以外のものを使用しても良い。
【００１３】
上記のように構成したこの実施の形態による複合糸１にあっては、弾性糸２が伸縮したときに、その弾性糸２の伸縮に追従して和紙糸３が巻き付けの間隔を広げたり、狭めたりすることになるので、弾性糸２の伸縮時に和紙糸３が破断するようなことはない。従って、和紙糸３の特性（通気性、保温性、吸湿性、放湿性）と、弾性糸２の特性（伸縮性）の両方の特性が得られることになる。
【００１４】
図２には、本発明による織物の一実施の形態が示されていて、この織物５は、前述した複合糸１を経糸６及び緯糸７として、機により織って布状に形成した平織りの織物５である。
【００１５】
そして、このような構成の織物５にあっては、経糸６及び緯糸７に前述した複合糸１を用いているので、複合糸１の弾性糸２の特性（伸縮性）により衣服の生地等として使用することが可能となる。また、複合糸１の和紙糸３の特性（通気性、保温性、吸湿性、放湿性）が得られることになるので、快適な着心地が得られることになる。また、合成繊維を生地に用いた衣服等のように、肌に接触することにより肌荒れを起こすようなことはないので、アレルギー体質の人々に特に有効となるものである。
【００１６】
なお、前記の説明においては、本発明による複合糸を用いて織物を構成したが、本発明による複合糸を用いて不織布、編物等を構成しても良いものであり、その場合にも同様の作用効果を奏するのは勿論のことである。また、前記各実施の形態においては、複合糸に弾性糸を使用したが、弾性糸の代わりに高収縮糸（熱を加える等すると収縮する）、ウーリー加工糸を使用してもよいものであり、その場合にも同様の作用効果を奏するものである。
【００１７】
【発明の効果】
本発明は、前記のように構成したことにより、弾性糸の特性（伸縮性）と、和紙糸の特性（通気性、保温性、吸湿性、放湿性）とが得られ、弾性糸が伸縮したときには、和紙糸が弾性糸の伸縮に追従して巻き付けの間隔を広げたり、狭めたりすることになり、和紙糸が破断するのが防止されることになる。従って、衣服の生地等として十分に使用することができ、和紙糸の特性（通気性、保温性、吸湿性、放湿性）による快適な着心地が得られることになる。また、合成繊維からなる生地に用いた衣服等のように、肌に接触することにより肌荒れを起こすようなことはなく、アレルギー体質の人に特に有効となるものである。
【図面の簡単な説明】
【図１】本発明による複合糸の一実施の形態を示した概略図である。
【図２】本発明による織物の一実施の形態を示した概略図である。
【符号の説明】
１……複合糸
２……弾性糸
３……和紙糸
５……織物
６……経糸
７……緯糸
【図１】
2004036041.tif 000003
【図２】
2004036041.tif 000004